(57)【要約】【課題】特に医療機関にて月次大量に発生する帳票（レセプト）などの帳票処理に有効な帳票分類処理システムを提供し、また帳票の納入先への便宜や請求点の審査時における個人情報の漏洩を防止する。【解決手段】帳票（レセプト）の記載内容を読み取って、読取データ、部分画像データ及び全面画像データを取得し、その読取データから保険者番号を取得して該当ポケットに仕分け収納して帳票を分類化すると共に、保険者番号別に帳票に記載された請求額を合計した請求点合算データ、請求額の妥当性を確認するために必要な読取データ、部分画像データ、全面画像データ、審査に不要な個人情報を隠蔽するためのマスクデータを電子媒体に書き込んで電子媒体レセプトを作成する。【選択図】図１
2007241444.tif 000002
【特許請求の範囲】
【請求項１】
受け付けた帳票を納入先となる保険者別に分類すると共に、前記分類された帳票毎に記載されている請求額を合計した請求点合算データを保険者別に保持する帳票分類処理システムにおいて、
前記帳票を構成する各項目のうち、隠蔽すべき項目を示すマスク設定テーブルと、
前記分類を行うと共に、前記帳票の記載内容を示す読取データ及び前記帳票から前記請求点合算データが示す金額の審査に必要な画像データを取得する帳票読取分類部と、
前記マスク設定テーブルが示す隠蔽すべき項目の帳票上の領域位置を示す領域データを特定したマスクデータを生成すると共に、該マスクデータ、前記取得された読取データ、画像データを記憶部に保持するシステム制御部と、
前記請求点合計データ、前記記憶部に保持されている読取データ、画像データ及びマスクデータを保険者別に電子媒体に書き込んだ電子媒体レセプトを作成する電子媒体作成部とを備えることを特徴とする帳票分類処理システム。
【請求項２】
帳票を構成する各項目毎に、各項目の領域位置を示す領域データが対応づけられた項目領域対応テーブルを含み、
前記システム制御部は、前記マスク設定テーブルが示す隠蔽すべき項目の領域位置を示す領域データを前記項目領域対応テーブルの参照により特定することを特徴とする請求項１記載の帳票分類処理システム。
【請求項３】
前記システム制御部は、
前記マスク設定テーブルが示す隠蔽すべき項目の領域位置を示す領域データを前記取得された画像データの画像認識により特定することを特徴とする請求項１記載の帳票分類処理システム。
【発明の詳細な説明】
【技術分野】
【０００１】
本発明は、帳票分類処理システムに関し、また電子媒体帳票の作成方法および納入方法に関する。
【背景技術】
【０００２】
商品やサービスを提供する営業事業体において、月次発行される売上伝票や請求伝票等の帳票分類処理を行う帳票分類処理システムが知られている。例えば、下記特許文献１では、伝票等の帳票を受け入れて、そこに記載された文字を読み取り、帳票の納入先用のポケットに分類して仕分け収納すると共に、帳票に記載された請求金額の集計処理を実行する帳票分類処理システムが開示されている。
【０００３】
ところで、病院や診療所等の医療機関では、上記した帳票分類処理システムを適用して、月次発行される治療患者の診療報酬としての請求金額（請求点）等が記載されたレセプトを受け入れ、そこに記載された文字を読み取り、各レセプトを所定の健康保険組合等（以下、保険者）へ発送すべく、各レセプトを保険者用のポケットにそれぞれ分類して仕分け収納すると共に、収納された各納入先のレセプトに記載された請求金額（請求点）の集計処理を実行し、各地の保険者へ発送している。
【０００４】
図３０及び図３１は、上述したような従来の帳票分類処理システムを示すブロック構成図及び従来のレセプト納入方法を示す模式図である。
【０００５】
図３０に示すように、従来の帳票分類処理システムは、光学的読取装置（Ｏｐｔｉｃａｌ  Ｃｈａｒａｃｔｅｒ  Ｒｅａｄｅｒ）を主体とする帳票読取分類部１、システム制御部２、修正端末３及びプリンタ４を有している。
【０００６】
システム制御部２では、システム全体の制御を行い、まず、帳票読取分類部１に対してレセプト４０の読取分類を指示する。該指示を受けた帳票読取分類部１は、帳票としてのレセプト４０の記載内容を撮像機構で読み取るとともに、各レセプトを納入先となる保険者Ａ、Ｂ、Ｃ・・・別に分類する（図３１参照）。また、帳票読取分類部１は、読取時に不読が発生したレセプト上の項目については修正画像データを生成する。引き続き、システム制御部２は、帳票読取分類部１で読み取られたレセプト４０の読取データ及び生成された修正画像データをメモリに保持する。修正端末３は、読取データ及び修正画像データがメモリに保持されると、読取データ及び修正画像データに基づいた修正画面を表示部に表示し、オペレータ等が修正画面を目視確認しながら、必要に応じて読取データを修正する。引き続き、システム制御部２は、修正確認された読取データを参照し、保険者Ａ、Ｂ、Ｃ・・・別に分類された各レセプトに記載されている請求点の集計額を示す請求合算データを保険者毎に生成し、プリンタ４は、生成された請求合算データに基づく印刷処理を実行する。
【０００７】
こうして、図３１に示すように、分類前のレセプト４０は複数の保険者Ａ、Ｂ、Ｃ・・・ごとに仕分けされ、請求点を合計する合算計算が行われ、保険者Ａに対してはレセプト４１と請求点合算データ４２が提供され、保険者Ｂに対してはレセプト４３と請求点合算データ４４が提供され、保険者Ｃに対してはレセプト４５と請求点合算データ４６が提供されるといったレセプト納入サービスが実行される。
【特許文献１】特開平８−２７２８８４号公報
【発明の開示】
【発明が解決しようとする課題】
【０００８】
しかしながら、上記した帳票分類処理システムでは、次のような解決すべき課題があった。即ち、分類されたレセプト４１、４３、４５は健康保険組合等の保険者Ａ、Ｂ、Ｃ・・・別に仕分けして納入されるが、納入先では事業規模によって、納入された大量のレセプト４１、４３、４５の保管スペースを確保するための経費等の管理コストが嵩むという問題があった。また、請求点として記載された請求額が妥当かどうか請求内容を審査する必要があるが、そうした審査には熟練を要するため、専門の審査機関に委託すると、大量のレセプトを運送するためのコストが生じる問題があった。また、上記審査機関においても、持ち込まれた大量のレセプトを過去のレセプトと対照させて審査する際、双方のレセプトについて紙上での比較は非常に困難である問題があった。さらに、上記審査機関にて、審査されるレセプトには、例えば、審査に不要な個人の氏名、生年月日等のような個人情報も記載されていることから、個人情報が漏洩する虞があった。
【課題を解決するための手段】
【０００９】
本発明は、以上の点を解決するために、次の構成を採用する。
〈構成１〉
受け付けた帳票を納入先となる保険者別に分類すると共に、前記分類された帳票毎に記載されている請求額を合計した請求点合算データを保険者別に保持する帳票分類処理システムにおいて、前記帳票を構成する各項目のうち、隠蔽すべき項目を示すマスク設定テーブルと、前記分類を行うと共に、前記帳票の記載内容を示す読取データ及び前記帳票から前記請求点合算データが示す金額の審査に必要な画像データを取得する帳票読取分類部と、前記マスク設定テーブルが示す隠蔽すべき項目の帳票上の領域位置を示す領域データを特定したマスクデータを生成すると共に、該マスクデータ、前記取得された読取データ、画像データを記憶部に保持するシステム制御部と、前記請求点合計データ、前記記憶部に保持されている読取データ、画像データ及びマスクデータを保険者別に電子媒体に書き込んだ電子媒体レセプトを作成する電子媒体作成部とを備えることを特徴とする。
〈構成２〉
構成１の帳票分類処理システムにおいて、帳票を構成する各項目毎に、各項目の領域位置を示す領域データが対応づけられた項目領域対応テーブルを含み、前記システム制御部は、前記マスク設定テーブルが示す隠蔽すべき項目の領域位置を示す領域データを前記項目領域対応テーブルの参照により特定することを特徴とする。
〈構成３〉
構成１の帳票分類処理システムにおいて、前記システム制御部は、前記マスク設定テーブルが示す隠蔽すべき項目の領域位置を示す領域データを前記取得された画像データの画像認識により特定することを特徴とする。
【発明の効果】
【００１０】
本発明の帳票分類処理システムでは、従来のように紙による帳票を必要とする保険者には紙帳票を提供し、保管場所等に制約があって紙帳票を望まない保険者に対しては電子媒体帳票を提供できる。紙帳票と電子媒体帳票の両方とも希望する保険者にはその両方を提供できるサービスが実現される。帳票の具体例として、医療機関が健康保険組合等の保険者に対して請求発行する診療報酬明細書のレセプトに好適であり、月次大量に発生するレセプト処理業務において医療機関および納入先の双方にとって遅滞のない迅速な処理が可能になる。また、審査機関にて、請求点として記載された請求額が妥当かどうかの審査する際、マスクリストデータの各領域データが示す帳票上の項目内容をマスク（＝隠蔽）して画面表示することで、例えば、審査に不要な個人の氏名、生年月日等のような個人情報が第三者に漏洩するのを防止できる。
【発明を実施するための最良の形態】
【００１１】
以下、本発明の一実施方式を図を用いて詳細に説明する。
【実施例１】
【００１２】
〈実施例１の構成〉
図１は、本発明の帳票分類処理システムを示すブロック構成図である。また、図２は、実施例１のレセプト納入方法を示す模式図である。
【００１３】
図１に示すように、帳票分類処理システムは、帳票読取分類部１ｂ、システム制御部２ｂ、修正端末３、プリンタ４、電子媒体作成部５を有している。
【００１４】
帳票読取分類部１ｂは、分類前の帳票（＝レセプト４０）の記載内容を１枚ずつ読み取り、保険者Ａ、Ｂ、Ｃ・・・別に分類等する部であり、図３に示すように、制御ユニット１０、ポケット制御部１１、ポケット機構１２、ナンバリング制御部１３、ナンバリング機構１４、搬送制御部１５、搬送機構１６、撮像制御部１７、撮像機構１８、ページ番号記憶部１９、認識部２０を有している。
【００１５】
ページ番号記憶部１９は、ＨＤＤ等からなるメモリであり、読み取られた帳票のページ番号を示すページ番号データが保持される。
【００１６】
認識部２０は、受け付けた帳票を読み取ると共に、該帳票の画像データを生成する部であり、図４に示すように、読取部４０７、部分画像作成部４０８、全面画像作成部４０９、マスク生成部４１０から構成されている。
【００１７】
マスク生成部４１０は、帳票上で隠蔽したい項目位置を示すマスクデータを生成する部であり、図５に示すように、表検出部５１０、項目探索部５１１から構成されている。
【００１８】
システム制御部２ｂは、システム全体の制御を行う部であり、業務ＡＰ部５０を有している。この業務ＡＰ部５０は、図６に示すように、業務設定テーブル５１ｂ、プログラム部５２、読取結果記憶部５３、部分画像記憶部５４、全面画像記憶部５５、合計額記憶部５６、電子媒体イメージ記憶部５７、マスクデータ記憶部５８、プリンタチャネル７０、電子媒体チャネル７１から構成されている。
【００１９】
業務設定テーブル５１ｂは、帳票の読み取り等を制御するために参照されるテーブルであり、図７に示すように、ポケット設定テーブル８０、読取設定テーブル８１、部分画像設定テーブル８２、全面画像設定テーブル８３、サービス設定テーブル８４、マスク設定テーブル８５から構成されている。
【００２０】
ポケット設定テーブル８０は、帳票納入先となる保険者用のポケットを識別するためのテーブルであり、保険者名及び保険者番号からなる保険者識別データ毎に、ポケット番号を示すポケット番号データが対応づけられたテーブルである。本実施例では、図８に示すように、保険者識別データ（＝保険者Ａ、保険者番号００１）に対してポケット番号「１」を示すポケット番号データ、保険者識別データ（＝保険者Ｂ、保険者番号００２）に対してポケット番号「２」を示すポケット番号データ、保険者識別データ（＝保険者Ｃ、保険者番号００３）に対してポケット番号「３」を示すポケット番号データ、保険者識別データ（＝その他、上記以外）に対してポケット番号「９９」を示すポケット番号データがそれぞれ対応づけられていることとする。
【００２１】
読取設定テーブル８１は、保険者毎に読み取るべき帳票上の項目を識別するためのテーブルであり、保険者名及び保険者番号からなる保険者識別データ毎に、請求点、一部負担金、記号番号、診療実日数、診療開始日、傷病名等の各項目のうち、読み取りが必要な項目を「○」で示す読取要否データが対応づけられている。本実施例では、図９に示すように、保険者識別データ（＝保険者Ａ、保険者番号００１）に対して請求点のみを読み取りが必要な項目とする読取要否データ、保険者識別データ（＝保険者Ｂ、保険者番号００２）に対して全ての項目を読み取りが必要な項目とする読取要否データ、保険者識別データ（＝保険者Ｃ、保険者番号００３）に対して全ての項目を読み取りが必要な項目とする読取要否データがそれぞれ対応づけられていることとする。
【００２２】
部分画像設定テーブル８２は、保険者毎に部分画像として取得すべき帳票上の項目を識別するためのテーブルであり、保険者名及び保険者番号からなる保険者識別データ毎に、請求点、一部負担金、記号番号、診療実日数、診療開始日、傷病名等の各項目のうち、取得が必要な項目を「○」で示す部分取得要否データが対応づけられている。本実施例では、図１０に示すように、保険者識別データ（＝保険者Ａ、保険者番号００１）に対して請求点のみを取得が必要な項目とする部分取得要否データ、保険者識別データ（＝保険者Ｂ、保険者番号００２）に対して全ての項目を取得が必要な項目とする部分取得要否データ、保険者識別データ（＝保険者Ｃ、保険者番号００３）に対して全ての項目を取得が必要な項目とする部分取得要否データがそれぞれ対応づけられていることとする。
【００２３】
全面画像設定テーブル８３は、保険者毎に、帳票の全面画像を取得すべきか否かを判定するためのテーブルであり、保険者名及び保険者番号からなる保険者識別データ毎に、帳票の全面画像を取得すべき保険者を「○」で示す全面取得要否データが対応づけられたテーブルであり、本実施例では、図１１に示すように、保険者識別データ（＝保険者Ｂ、保険者番号００２）及び保険者識別データ（＝保険者Ｃ、保険者番号００３）に対して、帳票の全面画像を取得するように「○」で示す全面取得要否データが対応づけられていることとする。
【００２４】
マスク設定テーブル８５は、保険者毎に設定された帳票上で隠蔽すべき項目を識別するためのテーブルであり、保険者名及び保険者番号からなる保険者識別データ毎に、氏名欄全体、氏名部、性別部、生年月日部、傷病名欄、摘要欄の各項目のうち、隠蔽すべき項目を「○」で示すマスク要否データが対応づけられている。本実施例では、図１２に示すように、保険者識別データ（＝保険者Ｂ、保険者番号００２）に対して氏名欄全体、氏名部、性別部、生年月日部の項目をマスク項目とするマスク要否データ、保険者識別データ（＝保険者Ｃ、保険者番号００３）に対して氏名欄全体、氏名部、性別部、生年月日部、傷病名欄、摘要欄の項目をマスク項目とするマスク要否データがそれぞれ対応づけられていることとする。尚、このマスク設定テーブル８５は、上記項目（氏名部、性別部、生年月日部等）に限られず、帳票上に記載された全ての項目をマスク（＝隠蔽）可能な対象項目として設定できるように構成してもよい。
【００２５】
サービス設定テーブル８４は、保険者毎に、提供すべきサービス方式を識別するためのテーブルであり、保険者名を示す保険者識別データ毎に、帳票、リストデータ、電子媒体のうち、提供すべき対象を「○」で示すサービス方式データが対応づけられている。本実施例では、図１３に示すように、保険者識別データ（＝保険者Ａ）に対して帳票及びリストデータを提供対象とするサービス方式データ、保険者識別データ（＝保険者Ｂ）に対して電子媒体のみを提供対象とするサービス方式データ、保険者識別データ（＝保険者Ｃ）に対して帳票、リストデータ、電子媒体の全てを提供対象とするサービス方式データがそれぞれ対応づけられていることとする。
【００２６】
修正端末３は、従来と同様に、オペレータが帳票読取分類部１ｂにより読み取られた読取データ及び読取失敗時に生成される修正画像データに基づいて、図示しない表示部に表示される修正画面を参照し、読取結果と修正画像を目視確認しながら読取データを修正するための装置である。
【００２７】
プリンタ４は、後述するように、システム制御部２ｂにより生成される請求点合算、読取リスト、部分画像リストをそれぞれ示す印刷データに基づく印刷処理を実行する印刷装置である。
【００２８】
電子媒体作成部５は、後述するように、システム制御部２ｂにより生成される読取リストデータ、部分画像リストデータ、全面画像リストデータ、マスクリストデータを、例えば、ＣＤ−ＲＯＭ等の電子媒体に書き込んで、電子媒体レセプトを作成する部である。
【００２９】
以下、本実施例の帳票分類処理システムの帳票読取分類部１ｂ、システム制御部２ｂ、修正端末３、プリンタ４、電子媒体作成部５の相互関連について説明する。
【００３０】
例えば、レセプト４０の束が搬送機構１６上に配置され（図１４参照）、図示しない入力部から、システム制御部２ｂにレセプト４０の読み取り開始を指示する読取指示信号が出力されると、システム制御部２ｂは、まず、業務設定テーブル５１ｂを構成するポケット設定テーブル８０、読取設定テーブル８１、部分画像設定テーブル８２、全面画像設定テーブル８３、マスク設定テーブル８５をそれぞれ帳票読取分類部１ｂに転送すると共に、ページ番号記憶部１９のページ番号データを「０」に初期化する。
【００３１】
帳票読取分類部１ｂの制御ユニット１０は、帳票読取分類部１ｂを統括制御するユニットであり、ポケット設定テーブル８０等の上記各テーブルを受けると、読取分類を開始する。即ち、受け付けた各テーブルを図示しないメモリに一時格納すると共に、レセプト４０の読取開始を指示する読取開始信号を搬送制御部１５に転送する。
【００３２】
搬送制御部１５は、搬送機構１６の駆動を制御する部であり、読取開始信号を受けると、搬送機構１６を駆動させ、搬送機構１６上に配置されたレセプト４０の束を１枚づつ装置内に搬送させる。
【００３３】
制御ユニット１０は、搬送されたレセプトが撮像機構１８を通過すると（図１４参照）、搬送されたレセプトの撮像を指示する撮像指示信号を撮像制御部１７に出力する。
【００３４】
撮像制御部１７は、レセプトの撮像を制御する部であり、撮像指示信号を受けると、撮像機構１８を制御し、搬送されたレセプトを光学的に読み取って、読取画像データを取得する。本実施例では、この読取画像データは、少なくとも、氏名部、性別部、生年月日部、傷病名欄、摘要欄、請求点、一部負担金、記号番号、診療実日数、診療開始日、傷病名の内容を示す画像データとする。
【００３５】
制御ユニット１０は、読取画像データが取得されると、読取画像データを認識部２０に転送する。この際、制御ユニット１０は、ページ番号記憶部１９のページ番号データに「１」を加算してページ番号データの更新を行う。
【００３６】
認識部２０は、読取画像データから、レセプトに記載されている項目内容を文字認識すると共に、各画像データ等を生成する部であり、本実施例では、この認識部２０は、帳票様式特定テーブル及び項目領域対応テーブルを図示しないメモリに保持していることとする。
【００３７】
帳票様式特定テーブルは、レセプトの様式を特定するためのテーブルであり、帳票の様式を罫線の長さ、太さ、サイズ等の情報で定めた罫線データ及び罫線データの組み合わせに対応した帳票様式を示す帳票様式データが対応づけられている。
【００３８】
項目領域対応テーブルは、帳票に含まれる各項目の領域を特定するためのテーブルであり、帳票様式データ毎に、帳票に含まれる各項目の項目内容が記載される領域を座標で示した領域データが対応づけられている。本実施例では、氏名欄、氏名部、性別部、生年月日部、傷病名部、摘要欄の各項目内容が記載される領域を座標で示した領域データが対応づけられていることとする。
【００３９】
認識部２０は、読取画像データを受けると、文字認識を開始する。即ち、まず、認識部２０の読取部４０７は、読取画像データを受けると、読取画像データの文字認識を行うと共に、文字認識された保険者識別データに基づいて、メモリの読取設定テーブルを参照し、対応する読取要否データが「○」で示している項目の項目内容を文字認識し、文字認識された保険者識別データ及び項目内容を示す読取データを取得する。
【００４０】
引き続き、認識部２０の部分画像作成部４０８は、読取データの確認、審査等の迅速化を図るための部分画像データを作成すべく、読取部４０７が読取データを取得すると、文字認識された保険者識別データに基づいて、メモリの部分画像設定テーブル８２を参照し、対応する部分取得要否データが「○」で示している項目の項目内容を含む部分画像データを読取画像データから抽出すると共に、該保険者識別データを含む部分画像データを作成する。
【００４１】
引き続き、認識部２０の全面画像作成部４０９は、部分画像作成部４０８が部分画像データを作成すると、文字認識された保険者識別データに基づいて、メモリの全面画像設定テーブル８３を参照し、対応する全面取得要否データが「○」を示していると、レセプトの全項目内容を含む全面画像データを作成し、対応する全面取得要否データが「○」を示していないと、全面画像データを作成しない。
【００４２】
マスク生成部４１０の表検出部５１０は、全面画像作成部４０９が全面画像データを作成すると、作成された全面画像データの罫線様式等を解析し、罫線データを取得すると共に、罫線データに基づいて、メモリの帳票様式特定テーブルを参照し、対応する帳票様式データを特定する。
【００４３】
マスク生成部４１０の項目探索部５１１は、表検出部５１０がレセプト４０の帳票様式データを特定すると、まず、文字認識された保険者識別データに基づいて、メモリのマスク設定テーブル８５を参照し、対応するマスク要否データが「○」で示しているマスク（＝隠蔽）すべき項目領域を特定すると共に、引き続き、帳票様式データに基づいて、メモリの項目領域対応テーブルを参照し、特定された項目領域を示す領域データからなるマスクデータを生成する。
【００４４】
即ち、項目探索部５１１は、参照したマスク要否データが氏名欄を「○」で示していると、例えば、図１５に示す帳票の画面表示から、図１６に示すように、氏名欄をマスク（＝隠蔽）するための領域データからなるマスクデータを生成し、氏名部を「○」で示していると、図１５に示す帳票の画面表示から、図１７に示すように、氏名部をマスク（＝隠蔽）するための領域データからなるマスクデータを生成し、氏名部及び性別部を「○」で示していると、図１５に示す帳票の画面表示から、図１８に示すように、氏名部及び性別部をマスク（＝隠蔽）するための領域データからなるマスクデータを生成し、氏名部及び生年月日部を「○」で示していると、図１５に示す帳票の画面表示から、図１９に示すように、氏名部及び生年月日部をマスク（＝隠蔽）するための領域データからなるマスクデータを生成する。
【００４５】
一方、全面画像作成部４０９が全面画像データを作成しないと、制御ユニット１０は、ページ番号記憶部１９を参照し、ページ番号データを取得すると共に、ページ番号データと共に、取得された読取データ、作成された部分画像データをシステム制御部２ｂに転送し、全面画像作成部４０９が全面画像データを作成すると、ページ番号データと共に、読取データ、作成された部分画像データ、全面画像データ、マスクデータをシステム制御部２ｂに転送する。
【００４６】
システム制御部２ｂの業務ＡＰ部５０は、ページ番号データ、読取データ、部分画像データ、全面画像データ、マスクデータをそれぞれ受けると、ページ番号データに対応づけて読取データを読取結果記憶部５３に格納し、ページ番号データに対応づけて部分画像データを部分画像記憶部５４に格納し、ページ番号データに対応づけて全面画像データを全面画像記憶部５５に格納し、ページ番号データに対応づけてマスクデータをマスクデータ記憶部５８に格納する。
【００４７】
帳票読取分類部１ｂの制御ユニット１０は、上述したように、読取データ等をシステム制御部２ｂに転送すると、引き続き、上述した読取データ等とレセプト４０とを対応づけるべく、レセプトにナンバリングすべく、ナンバリング制御部１３にナンバリング指示信号を転送する。
【００４８】
ナンバリング制御部１３は、ナンバリング指示信号を受けると、ページ番号記憶部１９のページ番号データを参照し、ページ番号データをナンバリング機構１４に転送し、ナンバリング機構１４は、受け付けたページ番号データが示すページ番号を搬送機構１６により搬送されてきたレセプト４０に対して印字処理を行う（図１４参照）。
【００４９】
ナンバリング機構１４がレセプト４０に印字処理を行うと、制御ユニット１０は、レセプト４０を各保険者用のポケットに分類すべく、ポケット制御部１１に分類指示信号を転送する。
【００５０】
ポケット制御部１１は、分類指示信号を受けると、まず、レセプト４０の納入先となる保険者を識別すべく、保険者識別データの要求信号をシステム制御部２ｂに転送する。
【００５１】
システム制御部２ｂの業務ＡＰ部５０は、保険者識別データの要求信号を受けると、読取結果記憶部５３に格納されている読取データのうち、最後のページ番号データに対応づけられた読取データの保険者識別データを取得すると共に、取得された保険者識別データを帳票読取分類部１ｂのポケット制御部１１に転送する。
【００５２】
ポケット制御部１１は、保険者識別データを受けると、保険者識別データに基づいて、メモリのポケット設定テーブルを参照し、対応するポケット番号データを取得すると共に、取得したポケット番号データをポケット機構１２に転送する。
【００５３】
ポケット機構１２は、ポケット番号データを受けると、ポケット番号データが示すポケット番号のポケットに搬送されたレセプトを排出し、分類する（図１４参照）。
【００５４】
制御ユニット１０は、搬送機構１６に配置されているレセプト４０が無くなるまで、上述したような読取分類処理を繰り返し実行し、レセプト４０が無くなると、読取分類処理を終了する。
【００５５】
本実施例では、上述したように、帳票読取分類部１ｂが帳票の分類読取処理を完了させることで、読取結果記憶部５３には、図２０に示すように、ページ番号データに対応づけられた読取データ群が格納され、部分画像記憶部５４には、図２１に示すように、ページ番号データに対応づけられた部分画像データ群が格納され、全面画像記憶部５５には、図２２に示すように、ページ番号データに対応づけられた全面画像データ群が格納され、マスクデータ記憶部５８には、図２３に示すように、ページ番号データに対応づけられたマスクデータ群が格納される。
【００５６】
引き続き、制御ユニット１０が読取分類処理を完了すると、各読取データが正確にレセプトに記載された項目内容を示しているかを確認すべく、修正端末３は、読取データ及び部分画像データの要求信号をシステム制御部２ｂに転送する。
【００５７】
システム制御部２ｂの業務ＡＰ部５０は、読取データ及び部分画像データの要求信号を受けると、最先のページ番号を示すページ番号データに基づいて、読取結果記憶部５３及び部分画像記憶部５４をそれぞれ参照し、同一のページ番号データに対応づけられた読取データ及び部分画像データをそれぞれ取得すると共に、取得した読取データ及び部分画像データを修正端末３に送信する。
【００５８】
修正端末３は、読取データ及び部分画像データを受信すると、読取データ及び部分画像データに基づいて、読取データが示す各項目内容を修正可能な修正画面データを生成すると共に、生成された修正画面データに基づいて、修正画面を図示しない表示部に表示する。
【００５９】
修正端末３のオペレータは、修正画面を参照し、文字認識に失敗した読取データの項目内容等を図示しない入力部を介して修正する。オペレータは、上述した読取データの修正確認を行い、全ての読取データの修正確認が完了すると、修正端末３は、修正確認完了を示す修正確認完了信号をシステム制御部２ｂに送信する。
【００６０】
システム制御部２ｂの業務ＡＰ部５０は、修正確認完了信号を受信すると、引き続き、各保険者に対して請求すべき金額を算出すべく、読取結果記憶部５３の読取データ群を参照し、同一の保険者番号を有する読取データが示す請求点を合計し、各保険者別の請求点合計を示す請求点合算データを生成し、生成した請求点合算データを合計額記憶部５６に格納する。
【００６１】
即ち、本実施例では、図２４に示すような、保険者Ａ、保険者Ｂ、保険者Ｃ毎の請求点合計を示す請求点合算データ群が合計額記憶部５６に格納される。
【００６２】
引き続き、業務ＡＰ部５０は、サービス設定テーブル８４を参照し、各保険者の保険者識別データに対応するサービス方式データから、各保険者に提供すべき対象を検知する。
【００６３】
即ち、本実施例では、保険者Ａ及び保険者Ｃの保険者識別データに対応するサービス方式データが「リスト提供」を「○」で示していることから、保険者Ａ及び保険者Ｃに「リスト」を提供すべきことを検知すると共に、保険者Ｂ及び保険者Ｃの保険者識別データに対応するサービス方式データが「電子媒体提供」を「○」で示していることから、保険者Ｂ及び保険者Ｃに「電子媒体」を提供すべきことを検知する。
【００６４】
そして、業務ＡＰ部５０は、まず、「リスト」を提供すべきことを検知された保険者Ａ及び保険者Ｃのそれぞれに対して提供すべきリストを印刷処理する。
【００６５】
ここで、例として、保険者Ｃに対するリストが印刷処理されるまでについて説明を行う。
【００６６】
業務ＡＰ部５０は、保険者Ｃの保険者識別データに基づいて、読取結果記憶部５３を参照し、同一の保険者番号を有する読取データを抽出すると共に、抽出された読取データをリスト化して、読取リストデータを作成する。同様に、保険者Ｃの保険者識別データに基づいて、部分画像記憶部５４を参照し、同一の保険者番号を有する部分画像データを抽出すると共に、抽出した部分画像データをリスト化して、部分画像リストデータを作成する。さらに、業務ＡＰ部５０は、保険者Ｃの保険者識別データに基づいて、合計額記憶部５６を参照し、請求点合算データ群から、同一の保険者番号を有する請求点合算データを取得する。
【００６７】
そして、業務ＡＰ部５０は、取得した請求点合算データ、作成した読取リストデータ及び部分画像リストデータに基づいて、請求点合算、読取リスト、部分画像リストをそれぞれ示す印刷データを生成し、プリンタチャネル７０を介して、生成した印刷データをプリンタ４に送信する。
【００６８】
プリンタ４は、印刷データを受信すると、受信した印刷データに基づいて印刷処理を実行し、図２５に示すような保険者Ｃに提供すべきリストを作成する。
【００６９】
業務ＡＰ部５０は、上記と同様に、保険者Ａに対しても印刷処理を実行し、保険者Ａに提供すべきリストを作成する。
【００７０】
業務ＡＰ部５０は、リストの提供対象である全保険者のリスト印刷処理が完了すると、引き続き、「電子媒体」を提供すべきことを検知された保険者Ｂ及び保険者Ｃのそれぞれに対して提供すべき電子媒体レセプトを作成する。
【００７１】
ここで、例として、保険者Ｃに対する電子媒体レセプトが作成されるまでについて説明を行う。
【００７２】
業務ＡＰ部５０は、保険者Ｃの保険者識別データに基づいて、読取結果記憶部５３を参照し、同一の保険者番号を有する読取データを抽出すると共に、抽出された読取データをリスト化して、読取リストデータを作成する。同様に、保険者Ｃの保険者識別データに基づいて、部分画像記憶部５４を参照し、同一の保険者番号を有する部分画像データを抽出すると共に、抽出した部分画像データをリスト化して、部分画像リストデータを作成する。さらに、業務ＡＰ部５０は、保険者Ｃの保険者識別データに基づいて、合計額記憶部５６を参照し、請求点合算データ群から、同一の保険者番号を有する請求点合算データを取得すると共に、作成した読取リストデータ及び部分画像リストデータに含まれる同一のページ番号データに基づいて、全面画像記憶部５５を参照し、同一のページ番号を有する全面画像データを抽出すると共に、抽出した全面画像データをリスト化して、全面画像リストデータを作成する。さらに、作成した読取リストデータ及び部分画像リストデータに含まれる同一のページ番号データに基づいて、マスクデータ記憶部５８を参照し、同一のページ番号を有するマスクデータを抽出すると共に、抽出したマスクデータをリスト化して、マスクリストデータを作成する。
【００７３】
引き続き、業務ＡＰ部５０は、抽出した請求点合算データ、作成した読取リストデータ、部分画像リストデータ、全面画像リストデータ、マスクリストデータに基づいて、請求点合算、読取リスト、部分画像リスト、全面画像リスト、マスクリストをそれぞれ示す電子媒体イメージデータを生成し、生成された電子媒体イメージデータを電子媒体イメージ記憶部５７に格納する。
【００７４】
そして、業務ＡＰ部５０は、電子媒体チャネル７１を介して、電子媒体イメージ記憶部５７に格納した電子媒体イメージデータを電子媒体作成部５に送信する。
【００７５】
電子媒体作成部５は、電子媒体イメージデータを受信すると、例えば、ＣＤ−ＲＯＭ等の電子媒体に対して、受信した電子媒体イメージデータの書き込みを行い、図２６に示すような保険者Ｃに提供すべき電子媒体レセプトを作成する。この際、電子媒体イメージデータに含まれる各リストデータを参照するためのインデックスデータも電子媒体に書き込まれる。
【００７６】
業務ＡＰ部５０は、上記と同様に、保険者Ｂに対しても、ＣＤ−ＲＯＭ等の電子媒体に受信した電子媒体イメージデータを書き込み、提供すべき電子媒体レセプトを作成する。
【００７７】
このように、レセプト４０の束は、保険者Ａ、Ｂ、Ｃ別に分類され、ポケット機構１２に一旦仕分け収納されると共に（図１４参照）、保険者Ａ、Ｂ、Ｃ・・別に仕分けされたレセプトは、サービス設定テーブル８４の設定に応じて、リストの印刷処理、電子媒体レセプトの作成を行うようにしたので、例えば、保険者Ａには、レセプト４１及びリスト４８を提供でき、保険者Ｂには、電子媒体レセプト４７のみを提供でき、また、保険者Ｃには、レセプト４５、リスト４９、電子媒体レセプト９０がそれぞれ提供できる（図２参照）。
【００７８】
また、電子媒体レセプト４７、９０には、マスク設定テーブル８５の保険者別の設定に応じて、帳票上のマスク（＝隠蔽）すべき項目領域を座標で示す領域データからなるマスクリストデータが書き込まれているので、審査機関にて、請求点として記載された請求額が妥当かどうかの審査する際、マスクリストデータの各領域データが示す帳票上の項目内容をマスク（＝隠蔽）して画面表示することで、例えば、審査に不要な個人の氏名、住所等のような個人情報が第三者に漏洩するのを防止できる。
【００７９】
＜実施例１の動作＞
次に、本実施例の全体的動作の流れについて説明を行う。
【００８０】
図２７は、本実施例の帳票分類処理システムの動作フローチャートである。
【００８１】
例えば、レセプト４０の束が搬送機構１６上に配置され（図１４参照）、図示しない入力部から、システム制御部２ｂにレセプト４０の読み取り開始を指示する読取指示信号が出力されると、システム制御部２ｂは、まず、業務設定テーブル５１ｂを構成するポケット設定テーブル８０、読取設定テーブル８１、部分画像設定テーブル８２、全面画像設定テーブル８３、マスク設定テーブル８５をそれぞれ帳票読取分類部１ｂに転送すると共に、ページ番号記憶部１９のページ番号データを「０」に初期化する（Ｓ１）。
【００８２】
帳票読取分類部１ｂの制御ユニット１０は、ポケット設定テーブル８０等の上記各テーブルを受けると、読取分類を開始する（Ｓ２）。即ち、受け付けた各テーブルを図示しないメモリに一時格納すると共に、レセプト４０の読取開始を指示する読取開始信号を搬送制御部１５に転送する。
【００８３】
図２８は、本実施例の帳票読取分類部１ｂの動作フローチャートである。
【００８４】
搬送制御部１５は、読取開始信号を受けると、搬送機構１６を駆動させ、搬送機構１６上に配置されたレセプト４０の束を１枚づつ装置内に搬送させる（Ｓ１１〜Ｓ１３）。
【００８５】
制御ユニット１０は、搬送されたレセプトが撮像機構１８を通過すると（図１４参照）、搬送されたレセプトの撮像を指示する撮像指示信号を撮像制御部１７に出力する。
【００８６】
撮像制御部１７は、撮像指示信号を受けると、撮像機構１８を制御し、搬送されたレセプトを光学的に読み取って、読取画像データを取得する（Ｓ１４）。本実施例では、この読取画像データは、少なくとも、氏名部、性別部、生年月日部、傷病名欄、摘要欄、請求点、一部負担金、記号番号、診療実日数、診療開始日、傷病名の内容を示す画像データとする。
【００８７】
制御ユニット１０は、読取画像データが取得されると、読取画像データを認識部２０に転送する。この際、制御ユニット１０は、ページ番号記憶部１９のページ番号データに「１」を加算してページ番号データの更新を行う。
【００８８】
認識部２０は、読取画像データを受けると、文字認識を開始する（Ｓ１５）。
【００８９】
図２９は、本実施例の認識部２０の動作フローチャートである。
【００９０】
まず、認識部２０の読取部４０７は、読取画像データを受けると、読取画像データの文字認識を行うと共に、文字認識された保険者識別データに基づいて、メモリの読取設定テーブルを参照し、対応する読取要否データが「○」で示している項目の項目内容を文字認識し、文字認識された保険者識別データ及び項目内容を示す読取データを取得する（Ｓ３５）。
【００９１】
引き続き、認識部２０の部分画像作成部４０８は、読取部４０７が読取データを取得すると、文字認識された保険者識別データに基づいて、メモリの部分画像設定テーブル８２を参照し、対応する部分取得要否データが「○」で示している項目の項目内容を含む部分画像データを読取画像データから抽出すると共に、該保険者識別データを含む部分画像データを作成する（Ｓ３６）。
【００９２】
引き続き、認識部２０の全面画像作成部４０９は、部分画像作成部４０８が部分画像データを作成すると、文字認識された保険者識別データに基づいて、メモリの全面画像設定テーブル８３を参照し、対応する全面取得要否データが「○」を示していると、レセプトの全項目内容を含む全面画像データを作成し、対応する全面取得要否データが「○」を示していないと、全面画像データを作成しない（Ｓ３７＆Ｓ３８）。
【００９３】
マスク生成部４１０の表検出部５１０は、全面画像作成部４０９が全面画像データを作成すると、作成された全面画像データの罫線様式等を解析し、罫線データを取得すると共に、罫線データに基づいて、メモリの帳票様式特定テーブルを参照し、対応する帳票様式データを特定する。
【００９４】
マスク生成部４１０の項目探索部５１１は、表検出部５１０がレセプト４０の帳票様式データを特定すると、まず、文字認識された保険者識別データに基づいて、メモリのマスク設定テーブル８５を参照し、対応するマスク要否データが「○」で示しているマスク（＝隠蔽）すべき項目を特定すると共に、引き続き、帳票様式データに基づいて、メモリの項目領域対応テーブルを参照し、特定された項目を示す領域データからなるマスクデータを自動的に生成する（Ｓ３９）。
【００９５】
即ち、項目探索部５１１は、参照したマスク要否データが氏名欄を「○」で示していると、例えば、図１５に示す帳票の画面表示から、図１６に示すように、氏名欄をマスク（＝隠蔽）するための領域データからなるマスクデータを生成し、氏名部を「○」で示していると、図１５に示す帳票の画面表示から、図１７に示すように、氏名部をマスク（＝隠蔽）するための領域データからなるマスクデータを生成し、氏名部及び性別部を「○」で示していると、図１５に示す帳票の画面表示から、図１８に示すように、氏名部及び性別部をマスク（＝隠蔽）するための領域データからなるマスクデータを生成し、氏名部及び生年月日部を「○」で示していると、図１５に示す帳票の画面表示から、図１９に示すように、氏名部及び生年月日部をマスク（＝隠蔽）するための領域データからなるマスクデータを生成する。
【００９６】
一方、全面画像作成部４０９が全面画像データを作成しないと、制御ユニット１０は、ページ番号記憶部１９を参照し、ページ番号データを取得すると共に、ページ番号データと共に、取得された読取データ、作成された部分画像データをシステム制御部２ｂに転送し、全面画像作成部４０９が全面画像データを作成すると、ページ番号データと共に、読取データ、作成された部分画像データ、全面画像データ、マスクデータをシステム制御部２ｂに転送する。
【００９７】
システム制御部２ｂの業務ＡＰ部５０は、ページ番号データ、読取データ、部分画像データ、全面画像データ、マスクデータをそれぞれ受けると、ページ番号データに対応づけて読取データを読取結果記憶部５３に格納し、ページ番号データに対応づけて部分画像データを部分画像記憶部５４に格納し、ページ番号データに対応づけて全面画像データを全面画像記憶部５５に格納し、ページ番号データに対応づけてマスクデータをマスクデータ記憶部５８に格納する。
【００９８】
帳票読取分類部１ｂの制御ユニット１０は、上述したように、読取データ等をシステム制御部２ｂに転送すると、引き続き、上述した読取データ等とレセプト４０とを対応づけるべく、レセプトにナンバリングすべく、ナンバリング制御部１３にナンバリング指示信号を転送する。
【００９９】
ナンバリング制御部１３は、ナンバリング指示信号を受けると、ページ番号記憶部１９のページ番号データを参照し、ページ番号データをナンバリング機構１４に転送し、ナンバリング機構１４は、受け付けたページ番号データが示すページ番号を搬送機構１６により搬送されてきたレセプト４０に対して印字処理を行う（図１４参照）。
【０１００】
ナンバリング機構１４がレセプト４０に印字処理を行うと（Ｓ１６）、制御ユニット１０は、レセプト４０を各保険者用のポケットに分類すべく、ポケット制御部１１に分類指示信号を転送する。
【０１０１】
ポケット制御部１１は、分類指示信号を受けると、まず、レセプト４０の納入先となる保険者を識別すべく、保険者識別データの要求信号をシステム制御部２ｂに転送する。
【０１０２】
システム制御部２ｂの業務ＡＰ部５０は、保険者識別データの要求信号を受けると、読取結果記憶部５３に格納されている読取データのうち、最後のページ番号データに対応づけられた読取データの保険者識別データを取得すると共に、取得された保険者識別データを帳票読取分類部１ｂのポケット制御部１１に転送する。
【０１０３】
ポケット制御部１１は、保険者識別データを受けると、保険者識別データに基づいて、メモリのポケット設定テーブルを参照し、対応するポケット番号データを取得すると共に、取得したポケット番号データをポケット機構１２に転送する。
【０１０４】
ポケット機構１２は、ポケット番号データを受けると、ポケット番号データが示すポケット番号のポケットに搬送されたレセプトを排出し、分類する（Ｓ１７）（図１４参照）。
【０１０５】
制御ユニット１０は、搬送機構１６に配置されているレセプト４０が無くなるまで、上述したような読取分類処理を繰り返し実行し、レセプト４０が無くなると、読取分類処理を終了する（Ｓ１８）。
【０１０６】
本実施例では、上述したように、帳票読取分類部１ｂが帳票の分類読取処理を完了させることで、読取結果記憶部５３には、図２０に示すように、ページ番号データに対応づけられた読取データ群が格納され、部分画像記憶部５４には、図２１に示すように、ページ番号データに対応づけられた部分画像データ群が格納され、全面画像記憶部５５には、図２２に示すように、ページ番号データに対応づけられた全面画像データ群が格納され、マスクデータ記憶部５８には、図２３に示すように、ページ番号データに対応づけられたマスクデータ群が格納される。
【０１０７】
引き続き、制御ユニット１０が読取分類処理を完了すると、各読取データが正確にレセプトに記載された項目内容を示しているかを確認すべく、修正端末３は、読取データ及び部分画像データの要求信号をシステム制御部２ｂに転送する。
【０１０８】
システム制御部２ｂの業務ＡＰ部５０は、読取データ及び部分画像データの要求信号を受けると、最先のページ番号を示すページ番号データに基づいて、読取結果記憶部５３及び部分画像記憶部５４をそれぞれ参照し、同一のページ番号データに対応づけられた読取データ及び部分画像データをそれぞれ取得すると共に、取得した読取データ及び部分画像データを修正端末３に送信する。
【０１０９】
修正端末３は、読取データ及び部分画像データを受信すると、読取データ及び部分画像データに基づいて、読取データが示す各項目内容を修正可能な修正画面データを生成すると共に、生成された修正画面データに基づいて、修正画面を図示しない表示部に表示する。
【０１１０】
修正端末３のオペレータは、修正画面を参照し、文字認識に失敗した読取データの項目内容等を図示しない入力部を介して修正する（Ｓ３）。オペレータは、上述した読取データの修正確認を行い、全ての読取データの修正確認が完了すると、修正端末３は、修正確認完了を示す修正確認完了信号をシステム制御部２ｂに送信する。
【０１１１】
システム制御部２ｂの業務ＡＰ部５０は、修正確認完了信号を受信すると、引き続き、各保険者に対して請求すべき金額を算出すべく、読取結果記憶部５３の読取データ群を参照し、同一の保険者番号を有する読取データが示す請求点を合計し、各保険者別の請求点合計を示す請求点合算データを生成し、生成した請求点合算データを合計額記憶部５６に格納する。
【０１１２】
即ち、本実施例では、図２４に示すような、保険者Ａ、保険者Ｂ、保険者Ｃ毎の請求点合計を示す請求点合算データ群が合計額記憶部５６に格納される（Ｓ４）。
【０１１３】
引き続き、業務ＡＰ部５０は、サービス設定テーブル８４を参照し、各保険者の保険者識別データに対応するサービス方式データから、各保険者に提供すべき対象を検知する。
【０１１４】
即ち、本実施例では、保険者Ａ及び保険者Ｃの保険者識別データに対応するサービス方式データが「リスト提供」を「○」で示していることから、保険者Ａ及び保険者Ｃに「リスト」を提供すべきことを検知すると共に、保険者Ｂ及び保険者Ｃの保険者識別データに対応するサービス方式データが「電子媒体提供」を「○」で示していることから、保険者Ｂ及び保険者Ｃに「電子媒体」を提供すべきことを検知する。
【０１１５】
そして、まず、業務ＡＰ部５０は、「リスト」を提供すべきことを検知された保険者Ａ及び保険者Ｃのそれぞれに対して提供すべきリストを印刷処理する（Ｓ５）。
【０１１６】
ここで、例として、保険者Ｃに対するリストが印刷処理されるまでについて説明を行う。
【０１１７】
業務ＡＰ部５０は、保険者Ｃの保険者識別データに基づいて、読取結果記憶部５３を参照し、同一の保険者番号を有する読取データを抽出すると共に、抽出された読取データをリスト化して、読取リストデータを作成する。同様に、保険者Ｃの保険者識別データに基づいて、部分画像記憶部５４を参照し、同一の保険者番号を有する部分画像データを抽出すると共に、抽出した部分画像データをリスト化して、部分画像リストデータを作成する。さらに、業務ＡＰ部５０は、保険者Ｃの保険者識別データに基づいて、合計額記憶部５６を参照し、請求点合算データ群から、同一の保険者番号を有する請求点合算データを取得する。
【０１１８】
そして、業務ＡＰ部５０は、取得した請求点合算データ、作成した読取リストデータ及び部分画像リストデータに基づいて、請求点合算、読取リスト、部分画像リストをそれぞれ示す印刷データを生成し、プリンタチャネル７０を介して、生成した印刷データをプリンタ４に送信する。
【０１１９】
プリンタ４は、印刷データを受信すると、受信した印刷データに基づいて印刷処理を実行し、図２５に示すような保険者Ｃに提供すべきリストを作成する。
【０１２０】
業務ＡＰ部５０は、上記と同様に、保険者Ａに対しても印刷処理を実行し、保険者Ａに提供すべきリストを作成する。
【０１２１】
業務ＡＰ部５０は、リストの提供対象である全保険者のリスト印刷処理が完了すると、引き続き、「電子媒体」を提供すべきことを検知された保険者Ｂ及び保険者Ｃのそれぞれに対して提供すべき電子媒体レセプトを作成する（Ｓ６）。
【０１２２】
ここで、例として、保険者Ｃに対する電子媒体レセプトが作成されるまでについて説明を行う。
【０１２３】
業務ＡＰ部５０は、保険者Ｃの保険者識別データに基づいて、読取結果記憶部５３を参照し、同一の保険者番号を有する読取データを抽出すると共に、抽出された読取データをリスト化して、読取リストデータを作成する。同様に、保険者Ｃの保険者識別データに基づいて、部分画像記憶部５４を参照し、同一の保険者番号を有する部分画像データを抽出すると共に、抽出した部分画像データをリスト化して、部分画像リストデータを作成する。さらに、業務ＡＰ部５０は、保険者Ｃの保険者識別データに基づいて、合計額記憶部５６を参照し、請求点合算データ群から、同一の保険者番号を有する請求点合算データを取得すると共に、作成した読取リストデータ及び部分画像リストデータに含まれる同一のページ番号データに基づいて、全面画像記憶部５５を参照し、同一のページ番号を有する全面画像データを抽出すると共に、抽出した全面画像データをリスト化して、全面画像リストデータを作成する。さらに、作成した読取リストデータ及び部分画像リストデータに含まれる同一のページ番号データに基づいて、マスクデータ記憶部５８を参照し、同一のページ番号を有するマスクデータを抽出すると共に、抽出したマスクデータをリスト化して、マスクリストデータを作成する。
【０１２４】
引き続き、業務ＡＰ部５０は、抽出した請求点合算データ、作成した読取リストデータ、部分画像リストデータ、全面画像リストデータ、マスクリストデータに基づいて、請求点合算、読取リスト、部分画像リスト、全面画像リスト、マスクリストをそれぞれ示す電子媒体イメージデータを生成し、生成された電子媒体イメージデータを電子媒体イメージ記憶部５７に格納する。
【０１２５】
そして、業務ＡＰ部５０は、電子媒体チャネル７１を介して、電子媒体イメージ記憶部５７に格納した電子媒体イメージデータを電子媒体作成部５に送信する。
【０１２６】
電子媒体作成部５は、電子媒体イメージデータを受信すると、例えば、ＣＤ−ＲＯＭ等の電子媒体に対して、受信した電子媒体イメージデータの書き込みを行い、図２６に示すような保険者Ｃに提供すべき電子媒体レセプトを作成する。この際、電子媒体イメージデータに含まれる各リストデータを参照するためのインデックスデータも電子媒体に書き込まれる。
【０１２７】
業務ＡＰ部５０は、上記と同様に、保険者Ｂに対しても、ＣＤ−ＲＯＭ等の電子媒体に受信した電子媒体イメージデータを書き込み、提供すべき電子媒体レセプトを作成する。
【０１２８】
このように、レセプト４０の束は、保険者Ａ、Ｂ、Ｃ別に分類され、ポケット機構１２に一旦仕分け収納されると共に（図１４参照）、保険者Ａ、Ｂ、Ｃ・・別に仕分けされたレセプトは、サービス設定テーブル８４の設定に応じて、リストの印刷処理、電子媒体レセプトの作成を行うようにしたので、例えば、保険者Ａには、レセプト４１及びリスト４８を提供でき、保険者Ｂには、電子媒体レセプト４７のみを提供でき、また、保険者Ｃには、レセプト４５、リスト４９、電子媒体レセプト４７がそれぞれ提供できる（図２参照）。
【０１２９】
また、電子媒体レセプト４７には、マスク設定テーブル８５の設定に応じて、帳票上のマスク（＝隠蔽）すべき項目を座標で示す領域データからなるマスクリストデータが書き込まれているので、審査機関にて、請求点として記載された請求額が妥当かどうかの審査する際、マスクリストデータの各領域データが示す帳票上の項目内容をマスク（＝隠蔽）して画面表示することで、例えば、審査に不要な個人の氏名、生年月日等のような個人情報が第三者に漏洩するのを防止できる。
【０１３０】
＜実施例１の効果＞
以上から明らかなように、この実施例１では、紙によるレセプトを望む保険者Ａには図２に示す紙レセプト４１とリスト４８を納入し、保管場所等の都合で紙によるレセプトを望まない保険者Ｂに対してはＣＤ−ＲＯＭ等による電子媒体レセプト４７を提供する。また、紙と電子媒体によるレセプトの両方とも望む保険者Ｃにはレセプト４５とリスト４９と電子媒体レセプト９０をそれぞれ提供できる納入サービスが可能となる。さらに、請求点の金額審査に必要な読取データと審査項目を抽出した部分画像データを「対」にして提供できるので、審査時に請求点の金額を確認する場合は部分画像データを表示することで、熟練を要せずとも簡易かつ迅速な審査処理が可能となる。
【０１３１】
また、電子媒体レセプト４７、９０には、保険者毎に設定された帳票上で隠蔽すべき項目を示すマスク設定テーブル８５に応じて、帳票上のマスク（＝隠蔽）すべき項目を座標で示した領域データからなるマスクリストデータが書き込まれているので、審査機関にて、金額審査する際、マスクリストデータの各領域データが示す帳票上の項目内容をマスク（＝隠蔽）して画面表示することで、例えば、審査に不要な個人の氏名、生年月日等のような個人情報が第三者に漏洩するのを防止できる。また、マスクリストデータを確認修正業務においても使用することで、第三者に個人情報が漏洩するのより厳格に防止できる。
【産業上の利用可能性】
【０１３２】
上記実施例では、全面画像データに含まれる個人情報等をマスク（＝隠蔽）するためのマスクデータが作成される構成であったが、これに限られることはなく、例えば、部分画像データに含まれる個人情報等をマスク（＝隠蔽）するためのマスクデータを作成する構成としてもよい。
【図面の簡単な説明】
【０１３３】
【図１】本発明の帳票分類処理システムを示すブロック構成図
【図２】実施例１のレセプト納入方法を示す模式図
【図３】帳票読取分類部１ｂを示すブロック構成図
【図４】認識部２０を示すブロック構成図
【図５】マスク作成部４１０を示すブロック構成図
【図６】業務ＡＰ部５０を示すブロック構成図
【図７】業務設定テーブル５１ｂを示す図
【図８】ポケット設定テーブル８０を示す例示図
【図９】読取設定テーブル８１を示す例示図
【図１０】部分画像設定テーブル８２を示す例示図
【図１１】全面画像設定テーブル８３を示す例示図
【図１２】マスク設定テーブル８５を示す例示図
【図１３】サービス設定テーブル８４を示す例示図
【図１４】実施例１のレセプト分類の流れを示す図
【図１５】画面表示を示す例示図（マスクなし）
【図１６】画面表示を示す例示図（氏名部、性別部、生年月日部をマスク）
【図１７】画面表示を示す例示図（氏名部をマスク）
【図１８】画面表示を示す例示図（氏名部、性別部をマスク）
【図１９】画面表示を示す例示図（氏名部、生年月日部をマスク）
【図２０】読取結果記憶部５３に格納された読取データ群を示す図
【図２１】部分画像記憶部５４に格納された部分画像データ群を示す図
【図２２】全面画像記憶部５５に格納された全面画像データ群を示す図
【図２３】マスクデータ記憶部５８に格納されたマスクデータ群を示す図
【図２４】合計額記憶部５６に格納された請求点合算データ群を示す図
【図２５】保険者Ｃに提供すべきリストを示す図
【図２６】保険者Ｃに提供すべき電子媒体レセプトを示す図
【図２７】実施例１の帳票分類処理システムの動作フローチャート
【図２８】帳票読取分類部１ｂの動作フローチャート
【図２９】認識部２０の動作フローチャート
【図３０】従来の帳票分類処理システムを示すブロック構成図
【図３１】従来の分類化レセプト納入方法を示す模式図
【符号の説明】
【０１３４】
１  帳票読取分類部
１ｂ  帳票読取分類部
２  システム制御部
２ｂ  システム制御部
３  修正端末
４  プリンタ
５  電子媒体作成部
１０  制御ユニット
１１  ポケット制御部
１２  ポケット機構
１３  ナンバリング制御部
１４  ナンバリング機構
１５  搬送制御部
１６  搬送機構
１７  撮像制御部
１８  撮像機構
１９  ページ番号記憶部
２０  認識部
４０  レセプト
４１  レセプト
４２  請求点合算データ
４３  レセプト
４４  請求点合算データ
４５  レセプト
４６  請求点合算データ
４７  電子媒体レセプト
９０  電子媒体レセプト
４８  リスト
４９  リスト
５０  業務ＡＰ部
５１ｂ  業務設定テーブル
５２  プログラム部
５３  読取結果記憶部
５４  部分画像記憶部
５５  全面画像記憶部
５６  合計額記憶部
５７  電子媒体イメージ記憶部
７０  プリンタチャネル
７１  電子媒体チャネル
８０  ポケット設定テーブル
８１  読取設定テーブル
８２  部分画像設定テーブル
８３  全面画像設定テーブル
８４  サービス設定テーブル
８５  マスク設定テーブル
【図１】
2007241444.tif 000003
【図２】
2007241444.tif 000004
【図３】
2007241444.tif 000005
【図４】
2007241444.tif 000006
【図５】
2007241444.tif 000007
【図６】
2007241444.tif 000008
【図７】
2007241444.tif 000009
【図８】
2007241444.tif 000010
【図９】
2007241444.tif 000011
【図１０】
2007241444.tif 000012
【図１１】
2007241444.tif 000013
【図１２】
2007241444.tif 000014
【図１３】
2007241444.tif 000015
【図１４】
2007241444.tif 000016
【図１５】
2007241444.tif 000017
【図１６】
2007241444.tif 000018
【図１７】
2007241444.tif 000019
【図１８】
2007241444.tif 000020
【図１９】
2007241444.tif 000021
【図２０】
2007241444.tif 000022
【図２１】
2007241444.tif 000023
【図２２】
2007241444.tif 000024
【図２３】
2007241444.tif 000025
【図２４】
2007241444.tif 000026
【図２５】
2007241444.tif 000027
【図２６】
2007241444.tif 000028
【図２７】
2007241444.tif 000029
【図２８】
2007241444.tif 000030
【図２９】
2007241444.tif 000031
【図３０】
2007241444.tif 000032
【図３１】
2007241444.tif 000033